(57)【特許請求の範囲】
【請求項１】
基板と、基板における所定箇所に形成された貫通孔と、貫通孔の内壁及び上下周縁部に導体層が形成されたスルーホールを有するプリント配線板において、
前記スルーホールの中央部分の内壁に密着してスルーホールを封止する光硬化性樹脂被膜を形成し、
前記スルーホールの内壁形状は前記基板の両面に臨むスルーホールの上下開口部よりも広い空洞に形成されたことを特徴とするプリント配線板。
【請求項２】
前記光硬化性樹脂被膜は前記スルーホール内で一方の側に突出された突形状に形成され、光硬化性樹脂被膜の突側と同一側の基板面上に電子部品が搭載されたことを特徴とする請求項１記載のプリント配線板。
【請求項３】
基板と、基板における所定箇所に形成された貫通孔と、貫通孔の内壁及び上下周縁部に導体層が形成されたスルーホールを有するプリント配線板において、
前記スルーホールの中央部分の内壁に密着してスルーホールを封止する光硬化性樹脂被膜を形成し、
前記光硬化性樹脂被膜は前記スルーホール内で一方の側に突出された突形状に形成され、光硬化性樹脂被膜の突側と同一側の基板面上に電子部品が搭載されたことを特徴とするプリント配線板。
【請求項４】
基板と、基板における所定箇所に形成された貫通孔と、貫通孔の内壁及び上下周縁部に導体層が形成されたスルーホールを有するプリント配線板において、
前記スルーホールの中央部分の内壁に密着してスルーホールを封止する光硬化性樹脂被膜を形成し、
前記スルーホールの内壁形状は前記基板の両面に臨むスルーホールの上下開口部の内一方の開口部を他方の開口部よりも大きく形成することにより一方の開口部から他方の開口部にいくに従って傾斜する傾斜孔に形成されるとともに、一方の開口部が存在する基板面上に電子部品が搭載されたことを特徴とするプリント配線板。
【請求項５】
前記光硬化性樹脂被膜は前記基板の電子部品搭載面の側に向かって突形状に形成されていることを特徴とする請求項４記載のプリント配線板。
【請求項６】
基板に貫通孔を形成するとともに、貫通孔の内壁及び周縁部に導体層を形成してスルーホールを設ける第１工程と、
前記基板の一面側から光硬化性樹脂を塗布し、光硬化性樹脂が前記スルーホールの一部に侵入するように光硬化性樹脂にてスルーホールを覆う第２工程と、    前記基板の他面側から前記スルーホール内に光を照射してスルーホール内の光硬化性樹脂の一部を硬化させるとともに未硬化の光硬化性樹脂を除去することによりスルーホールの内壁に密着してスルーホールを封止する光硬化性樹脂被膜を形成する第３工程とからなるプリント配線板の製造方法。
【発明の詳細な説明】
【０００１】
【産業上の利用分野】
本発明は、スルーホールを有するプリント配線板において絶縁性樹脂被膜によりスルーホールを封止したプリント配線板に関し、特に、スルーホールの内部に絶縁性樹脂被膜を形成してスルーホールを封止することにより、吸引固定装置を介してプリント配線板を固定しながらプリント配線板における回路パターンの断線や回路抵抗等の電気的チェックを行なう際に、スルーホール内にチェッカーピン先端部を挿入して電気的チェックを行なうことが可能であるとともに、絶縁性樹脂被膜がスルーホール内で脱落することを確実に防止可能なプリント配線板及びそのプリント配線板の製造方法に関するものである。
【０００２】
【従来の技術】
一般に、プリント配線板が製造された後、製品として出荷する前に、プリント配線板に形成された回路パターンが断線していないかどうかあるいは回路抵抗値が設計値通りのものであるかどうかをを検査するため電気的チェックが行なわれる。かかるプリント配線板の電気的チェックは、チェッカーピンを備えたチェッカーと称されるチェック装置を使用して行なわれている。
【０００３】
この種のチェッカーには各種の装置が存在するが、最近では、吸引固定装置によりプリント配線板を多数の開口が形成されたテーブル上に吸引吸着してプリント配線板をテーブル上の所定の位置に固定し、チェッカーピンを回路パターンにおける所定の箇所に立てつつ電気的チェックを行なうチェッカーが汎用されている。かかる吸引式のチェッカーを使用してスルーホールを有する両面あるいは多層プリント配線板の電気的チェックを行なうには、スルーホール付きプリント配線板をテーブルに確実に吸引吸着する必要があることから、スルーホールを封止する要求が高まってきている。
【０００４】
このようなプリント配線板に形成されたスルーホールを封止する場合には、一般に、プリント配線板の製造過程において両面における各回路パターンを保護するとともに、半田が付着する必要のない部分への溶融半田の付着を制限するためプリント配線板の両面には、ソルダーレジストと呼ばれる絶縁性樹脂被膜が形成されることから、かかるソルダーレジストを利用してスルーホールの封止が行なわれている。
【０００５】
そこで、両面プリント配線板を例にとって従来から行なわれているプリント配線板のスルーホールを封止する方法について図１２及び図１３に基づき説明する。ここに、図１２は従来の両面プリント配線板のスルーホールを封止する前における状態を模式的に示す両面プリント配線板の断面図、図１３は従来の両面プリント配線板のスルーホールを封止した後における状態を模式的に示す両面プリント配線板の断面図である。
【０００６】
先ず、図１２に示すように、両面に所定の回路パターン（図示せず）を有する両面基板２１に貫通孔２２が形成され、かかる貫通孔２２の内壁２２Ａ及び上下開口２２Ｂの周縁にスルーホールメッキを行なうことにより導体層２３がメッキ形成される。これにより、スルーホール２４が形成され、また、スルーホール２４の周縁にランド２５が形成される。
【０００７】
次に、前記のように形成されたスルーホール２４を封止すべく、図１３に示すように、両面基板２１の両面に光硬化性樹脂を主成分とする液状組成物を、所謂、カーテンコート法、スクリーン印刷法により塗布した後光硬化してソルダーレジスト２７被膜が形成されたり、また、光硬化性樹脂をフィルム化したレジストフィルムを熱圧着した後光硬化してソルダーレジスト被膜２７が形成される。
【０００８】
このとき、ソルダーレジスト被膜２７は、両面基板２１の一面（図１３中上面）でスルーホール２４における一方の開口（図１３中上方の開口）２４Ａを封止するように形成され、また、両面基板２１の他面（図１３中下面）ではスルーホール２４の開口（図１３中下方の開口）２４Ａが封止されることなく両面基板２１の下面に形成される。
【０００９】
【発明が解決しようとする課題】
しかしながら、前記従来における光硬化性樹脂の液状組成物を塗布することによりソルダーレジスト被膜２７を形成する方法にあっては、スルーホール２４のコーナー部２４Ｂにおいて塗布される液状組成物が必然的に薄くなってしまうことから、形成されるソルダーレジスト被膜２７の厚さも極めて薄くなる現象が発生する。このように、ソルダーレジスト被膜２７が薄くなると、スルーホール２４のコーナー部２４Ｂでソルダーレジスト被膜２７にクラックが発生し、この結果、ソルダーレジスト被膜２７がスルーホール２４から脱落して、これがゴミの原因となるという問題がある。
【００１０】
また、前記したようにレジストフィルムを熱圧着することによりソルダーレジスト被膜２７を形成する方法においては、レジストフィルムがランド２５における導体回路面と両面基板２１の面との間で生じる段差に追従することが難しく、これより熱圧着後においてもソルダーレジスト被膜２７とランド２５との間で隙間が発生する虞が多分に存する。従って、場合によっては、両面基板２１の回路パターンのチェック時に基板２１を吸引固定した際、ソルダーレジスト被膜２７が剥がれてしまう問題がある。また、同様にして、レジストフィルムは、両面基板２１に形成された回路パターン面と基板２１の面との間で生じる段差に起因して、回路パターンとの間で隙間が生じ易いことから、回路保護上の観点からして好ましいものではない。更に、ソルダーレジストを形成するレジストフィルムは高価であり、コスト高を招来してしまうものである。
【００１１】
更に、前記従来の各方法では、ソルダーレジスト被膜２７によりスルーホール２４の片側を被覆してしまうものであり、また、回路パターンの電気的チェックの際にスルーホール２４の開放側はチェッカーのテーブルに吸引固定されているので、電気的チェックを効率的に行なうためには電気的チェック用のランドを両面基板２１上に設ける必要があり、これより回路パターンが複雑になってしまう。
【００１２】
本発明は、前記従来の問題点を解消するためになされたものであり、基板に形成された導体層を有するスルーホールの内壁に密着してスルーホールを封止する光硬化性樹脂被膜を形成することにより、プリント配線板における回路パターンの電気的チェックを行なう際に、回路パターン中に電気的チェック用のランドを設けることなく、プリント配線板を吸引固定しつつスルーホール上にチェッカーピンの先端部を挿入して電気的チェックを確実に行なうことができるとともに、光硬化性樹脂被膜がスルーホール内で脱落することを確実に防止することができるプリント配線板及びそのプリント配線板の製造方法を提供することを目的とする。
【００１３】
【課題を解決するための手段】
前記目的を達成するため請求項１の発明に係るプリント配線板は、基板と、基板における所定箇所に形成された貫通孔と、貫通孔の内壁及び上下周縁部に導体層が形成されたスルーホールを有するプリント配線板において、前記スルーホールの中央部分の内壁に密着してスルーホールを封止する光硬化性樹脂被膜を形成した構成とされる。
【００１４】
また、請求項２の発明に係るプリント配線板では、前記スルーホールの内壁形状は前記基板の両面に臨むスルーホールの上下開口部よりも広い空洞に形成され、又、請求項３の発明に係るプリント配線板では、前記光硬化性樹脂被膜は前記スルーホール内で一方の側に突出された突形状に形成され、光硬化性樹脂被膜の突側と同一側の基板面上に電子部品が搭載された構成とされる。
【００１５】
更に、請求項４の発明に係るプリント配線板では、前記スルーホールの内壁形状は前記基板の両面に臨むスルーホールの上下開口部の内一方の開口部を他方の開口部よりも大きく形成することにより一方の開口部から他方の開口部にいくに従って傾斜する傾斜孔に形成されるとともに、一方の開口部が存在する基板面上に電子部品が搭載され、また、請求項５の発明に係るプリント配線板では、前記光硬化性樹脂被膜は前記基板の電子部品搭載面の側に向かって突形状に形成された構成とされる。
【００１６】
また、請求項６の発明に係るプリント配線板の製造方法は、基板に貫通孔を形成するとともに、貫通孔の内壁及び周縁部に導体層を形成してスルーホールを設ける第１工程と、前記基板の一面側から光硬化性樹脂を塗布し、光硬化性樹脂が前記スルーホールの一部に侵入するように光硬化性樹脂にてスルーホールを覆う第２工程と、前記基板の他面側から前記スルーホール内に光を照射してスルーホール内の光硬化性樹脂の一部を硬化させるとともに未硬化の光硬化性樹脂を除去することによりスルーホールの内壁に密着してスルーホールを封止する光硬化性樹脂被膜を形成する第３工程とからなる構成とされる。
【００１７】
【作用】
前記構成を有する請求項１の発明に係るプリント配線板では、基板における所定箇所に形成された貫通孔の内壁及び上下周縁部に導体層を形成してスルーホールが設けられ、かかるスルーホールの中央部分の内壁に密着してスルーホールを封止する光硬化性樹脂被膜が形成される。このように、光硬化性樹脂被膜はスルーホールの内部に形成されていることから、光硬化性樹脂被膜は直接外力を受けることがなく、これよりスルーホールから脱落することが確実に防止され得、また、基板に形成された回路パターンの電気的チェックを行なう際に、チェッカーにおけるチェッカーピンをスルーホールに立てつつ電気的チェックを効率的に行なうことが可能となる。
【００１８】
このとき、請求項２の発明に係るプリント配線板においては、スルーホールの内壁形状が基板の両面に臨むスルーホールの上下開口よりも広い空洞に形成されており、これによりスルーホールの内部で空洞の内壁に形成された光硬化性樹脂被膜は、上下開口よりも大きな面積を有することとなり、従って、光硬化性樹脂被膜は、前記のように直接外力を受けることがないこととも相まって、スルーホールから更に脱落し難くなるものである。
【００１９】
また、請求項３の発明に係るプリント配線板においては、光硬化性樹脂被膜がスルーホール内で一方の側に突出した突形状に形成され、光硬化性樹脂被膜の突側と同一側の基板面上に電子部品が搭載されている。ここに、プリント配線板上に電子部品を搭載する際には、プリント配線板は、電子部品が搭載される側と反対側の面が吸引固定装置を介して吸引固定され、このとき、光硬化性樹脂被膜は吸引固定装置による吸引方向に対して反対側の方向に突出されることとなる。これにより、吸引固定装置による吸引時に、光硬化性樹脂被膜は、その突形状が平面状に変形する方向に吸引される。従って、前記のように光効硬化性樹脂被膜がスルーホールの内部に形成されている場合には、光硬化性樹脂被膜に直接外力を受けないこととも相まって光硬化性樹脂被膜がスルーホールから脱落することはない。更に、前記のようにスルーホールの内壁形状がその上下開口よりも広い空洞に形成された場合には、光硬化性樹脂被膜がスルーホールの上下開口部よりも大きな面積を有することとなり、この結果、前記のように光硬化性樹脂被膜は直接外力を受けないこと、及び、スルーホールの上下開口よりも大きな面積を有することとも相まって、スルーホールから脱落することは全くないものである。
【００２０】
更に、請求項４の発明に係るプリント配線板においては、スルーホールの内壁形状が、基板の両面に臨む上下開口の内一方の開口部を他方の開口部よりも大きく形成されることにより、一方の開口部から他方の開口部にいくに従って傾斜する傾斜孔に形成されるとともに、一方の開口部が存在する基板面上に電子部品が搭載されている。ここに、プリント配線板上に電子部品を搭載する際には、プリント配線板は、電子部品が搭載される側と反対側の面が吸引固定装置を介して吸引固定され、このとき、光硬化性樹脂被膜は傾斜孔内で小さい他方の開口部側に向かって吸引されることとなり、従って、光硬化性樹脂被膜は、前記のように直接外力を受けないこととも相まって、スルーホールから脱落することは全くないものである。
【００２１】
また、請求項５の発明に係るプリント配線板では、光硬化性樹脂被膜が基板の電子部品搭載面に向かって突形状に形成されている。ここに、プリント配線板上に電子部品を搭載する際には、プリント配線板は、電子部品が搭載される側と反対側の面が吸引固定装置を介して吸引固定され、このとき、光硬化性樹脂被膜は傾斜孔内で小さい他方の開口部側に向かって吸引されるとともに、その突形状が平面状に変形する方向に吸引されることとなり、従って、前記のように光硬化性樹脂被膜が傾斜孔内で小さい他方の開口部側に向かって吸引されること、及び、直接外力を受けないこととも相まって、光硬化性樹脂被膜はスルーホールから脱落することは全くないものである。
【００２２】
更に、請求項６の発明に係るプリント配線板の製造方法では、先ず、第１工程にて基板に貫通孔が形成されるとともに、かかる貫通孔の内壁及び周縁部に導体層を形成してスルーホールが設けられる。次に、第２工程において、基板の一面側から光硬化性樹脂が、空洞の一部に侵入するように塗布される。これにより、スルーホールは光硬化性樹脂にて覆われる。この後、第３工程では、基板の他面側からスルーホール内に光が照射されて空洞内の光硬化性樹脂の一部が硬化され、更に、未硬化の光硬化性樹脂が除去される。この結果、空洞内において、スルーホールの内壁に密着してスルーホールを封止する光硬化性樹脂被膜が形成されるものである。
【００２３】
尚、上記の光硬化性樹は、光硬化にのみによって硬化が進行する樹脂である必要は無く、熱硬化と併用によって硬化されるものであってもかまわない。すなわち、ここで言う光硬化の度合は光を照射されなかった光硬化性樹脂が、溶剤あるいはアルカリ溶液によるシャワー洗浄において除却されない程度であれば良いのである。
【００２４】
【実施例】
以下、本発明を具体化した実施例に基づいて図面を参照しつつ詳細に説明する。先ず、本実施例に係るプリント配線板の構成について図１に基づき説明する。ここに、図１はプリント配線板を模式的に示す断面図である。
【００２５】
図１において、プリント配線板１は両面に所定の回路パターン（図示せず）が形成された両面基板２を有し、この両面基板２には貫通孔３が形成されている。貫通孔３の内壁３Ａ、及び、上下開口３Ｂの周縁にはスルーホールメッキにより導体層４が形成されており、これによりスルーホール５が形成されるとともに、スルーホール５の上下周縁にランド６が形成される。
【００２６】
ここに、スルーホールメッキにより導体４をメッキ形成するに際して、貫通孔３の内部にはメッキ液が循環しにくい性質を利用して、内壁３Ａにメッキ形成されるメッキ層の厚さはランド６としてメッキ形成されるメッキ層の厚さよりも薄く形成される。この結果、スルーホール５内のほぼ中央部には、図１に示すように、その上下開口５Ａよりも広い空洞７が形成されることとなる。
【００２７】
また、前記のように構成された両面基板２の両面上でランド６を除く部分には、光硬化性樹脂組成物と熱硬化性樹脂組成物とが相互に約５０％ずつ含有されてなる液状組成物が塗布されることにより、ソルダーレジスト被膜８が形成されており、また、スルーホール５の内部においてメッキ層が形成される際に設けられた空洞７には、スルーホール５の内壁に密着して円弧状にソルダーレジスト被膜９が形成されている。かかるソルダーレジスト被膜８は、両面基板２の各面に形成された回路パターンを保護し、半田が付着する必要のない部分への溶融半田の付着を制限するためのものであり、また、ソルダーレジスト被膜９は、プリント配線板１の電気的チェックを行なう際に、チェッカーにおいてプリント配線板１をテーブル等に対して吸引吸着すべくスルーホール５を封止するためのものである。
【００２８】
続いて、前記のように構成されたプリント配線板１を吸引固定装置を介して吸引固定しつつ、チェッカーのチェッカーピンにより各回路パターンの電気的チェックを行なう方法、及び、プリント配線板１上へ電子部品を搭載する方法について図６を参照しつつ説明する。図６はチェッカーピンにより行なわれる回路パターンの電気的チェックの状態、及び、プリント配線板１への電子部品の搭載状態を模式的に示す断面図である。尚、図６に示すプリント配線板１の上面においては、ＩＣチップ等の電子部品を搭載するための部品ランド１１が形成されている。
【００２９】
図６において、プリント配線板１の各回路パターンの電気的チェックを行なう場合には、先ず、真空ポンプ等の吸引手段を備えた吸引装置１２上にプリント配線板１を載置するとともに、吸引手段を介してプリント配線板１を矢印Ａ方向（吸引方向）に吸引する。かかる吸引時、スルーホール５は、上下開口５Ａよりも広い空洞７にてソルダーレジスト膜９を介して封止されており、従って、プリント配線板１は吸引固定装置１２上に密着して吸引固定される。
【００３０】
このとき、ソルダーレジスト被膜９は、スルーホール５の上下開口５Ａよりも広く形成された空洞７に形成されるとともに、矢印Ａ方向とは反対方向に向かって円弧状に突出された突形状に形成されていることから、吸引固定装置１２による吸引時においてソルダーレジスト被膜９はその突形状が平面状になる方向に変形されることとなり、空洞７よりも狭い下開口５Ａから脱落することは全くない。
【００３１】
そして、チェッカーによりプリント配線板１における各回路パターンの電気的チェックを行なう場合、チェッカーピン１３が図６に示すようにスルーホール５の上開口５Ａに立てられる。このとき、チェッカーピン１３の形状は、その先端部がソルダーレジスト被膜９に当接することのないような形状に形成されている。このように、プリント配線板１では、チェッカーのチェッカーピン１３を直接スルーホール５の上開口５Ａに立てることにより回路パターンの電気的チェックを効率的に行なうことが可能となるものである。
【００３２】
また、プリント配線板１に形成された部品ランド１１にＩＣチップ１４等の電子部品を搭載する場合には、前記のように吸引固定装置１２を介してプリント配線板１を吸引固定した状態を保持したまま、各部品ランド１１上に半田ペーストが塗布形成された後、各部品ランド１１とＩＣチップ１４の半田バンプ１５とを位置決めするとともにリフロー処理を行なうことにより、ＩＣチップ１４等の電子部品を部品ランド１１上に搭載するものである。このとき、ＩＣチップ１４が搭載される各部品ランド１１はソルダーレジスト被膜９が円弧状に突出する方向と同一方向側に配置され、換言すれば、各部品ランド１１は、吸引固定装置１２による吸引方向（矢印Ａ方向）とは反対方向側のプリント配線板１上に形成されており、従って、吸引固定装置１２を介してプリント配線板１を吸引固定しつつ各部品ランド１１上にＩＣチップ１４を搭載するについて何等支障は生じることはない。
【００３３】
尚、前記した吸引固定装置１２によるプリント配線板１の吸引固定は、チェッカーピン１３による電気的チェックを行なう場合、ＩＣチップ１４をプリント配線板１上に搭載実装する際に各部品ランド１１に半田ペーストの塗布形成する場の他、プリント配線板上に文字等を印刷する等の場合にも行なわれる。
【００３４】
本実施例に係るプリント配線板１では、前記のように、スルーホール５が、その内部に形成された上下開口５Ａよりも広い空洞７において、スルーホール５の内壁に密着して形成されたソルダーレジスト被膜９により封止されており、これよりソルダーレジスト被膜９に直接外力が及ぼされることはなく、ソルダーレジスト被膜９がスルーホール５から脱落することを確実に防止することができる。従って、ソルダーレジスト被膜９がゴミを発生する原因となることは全くない。
【００３５】
また、スルーホール５は、前記従来の封止構造とは異なり、スルーホール５内のほぼ中央位置においてソルダーレジスト被膜９により封止されているので、チェッカーを介してプリント配線板１における各回路パターンの電気的チェックを行なう際に、チェッカーピン１３をスルーホール５内に立てつつ効率的に電気的チェック等を行なうことができ、従って、プリント配線板１の各回路パターン中に電気的チェック用のランドを別に設ける必要は全くなくなり、回路パターンの簡素化を図ることができる。
【００３６】
次に、前記のような構成を有するプリント配線板１を製造する方法について図２乃至図５に基づき説明する。先ず、第１製造方法について図２を参照して説明する。図２は第１製造方法の手順を模式的に示す説明図である。
【００３７】
図２において、両面に銅箔が積層一体化された両面基板２に貫通孔３を形成し、この後、スルーホールメッキを介して貫通孔３の内壁３Ａ及び上下開口３Ｂの周縁に導体層４をメッキ形成することにより、スルーホール５を形成する。さらに、一般的なサブトラクティブ法によって、両面の銅箔およびメッキ層をエッチングすることによって所定の回路パターンを形成する。このとき、スルーホール５内には、前記したように、スルーホール５の上下開口５Ａよりも広い空洞７が設けられることとなり、また、スルーホール５の周縁にはランド６が形成される。この状態が図２（Ａ）に示されている。
【００３８】
続いて、図２（Ｂ）に示すように、光硬化性樹脂と熱硬化性樹脂組成物よりなる液状組成物が、各ランド６を被覆するとともにスルーホール５の内部中央部にまで侵入するように、両面基板２の上面にスクリーン印刷法によって塗布され乾燥される。更に、同様にして、図２（Ｃ）に示すように、液状組成物が、スルーホール５を除いて各ランド６の一部を被覆するように、両面基板２の下面に塗布・乾燥される。尚、スルーホール５内に侵入された液状組成物の下面は、その表面張力、粘性等により上方に突出した円弧状となる。
【００３９】
そして、図２（Ｄ）に示すように、ネガフィルム１０により基板２の上面における各ランド６を覆うとともに、基板２の下面において液状組成物が塗布された各ランド６の一部を覆った後、露光装置により両面基板２の上下両面から紫外線光が照射される。これにより、ネガフィルム１０の黒色部分にて覆われていない基板２上に存在する液状組成物は光硬化され、また、ネガフィルム１０の黒色部分により覆われた基板２上に存在する液状組成物は光硬化されることなく未硬化状態を保持することとなる。上記、光照射された両面基板を１％Ｎａ２ＣＯ３の溶液によって処理することによって、未硬化の液状組成物は溶解除却され、所定の形状のソルダーレジスト被膜８が形成されるのである。この結果、両面基板２の上面における各ランド６よりも外方位置に存在する液状組成物は光硬化されてソルダーレジスト被膜８となり、また、基板２の下面における各ランド６よりも外方位置に存在する液状組成物も光硬化されてソルダーレジスト被膜８となる。更に、スルーホール５内に侵入された液状組成物の下面側においても、両面基板２の下方側から照射された光により光硬化され、これにより所定厚さ（光の照射時間等により調整される）を有するソルダーレジスト被膜９が形成される。
【００４０】
前記のように液状組成物の所定部分のみを光硬化してソルダーレジスト被膜８、９を形成した後、このように形成された各ソルダーレジスト被膜８、９は、１５０℃２時間程度熱硬化される。かかる後、図１に示すようなプリント配線板１が得られるものである。
【００４１】
続いて、第２製造方法について図３を参照して説明する。図３は第２製造方法の手順を模式的に示す説明図である。尚、図３に示す第２製造方法は、前記第１製造方法と基本的に同様の手順にてプリント配線板１を製造するものであり、第１製造方法とは、スルーホール５内でソルダーレジスト被膜９を形成するについて、両面基板２の両面側から光を照射することによりソルダーレジスト被膜９を形成している点で異なる。
【００４２】
図３において、前記第１製造方法における図２（Ａ）に示す手順と同様、両面に銅箔が積層一体化された両面基板２に貫通孔３を形成し、この後、スルーホールメッキを介して貫通孔３の内壁３Ａ及び上下開口３Ｂの周縁に導体層４をメッキ形成することにより、スルーホール５を形成する。さらに、一般的なサブトラクティブ法によって、両面の銅箔およびメッキ層をエッチングすることによって所定の回路パターンを形成する。このとき、スルーホール５内には、前記したように、スルーホール５の上下開口５Ａよりも広い空洞７が設けられることとなり、また、スルーホール５の周縁にはランド６が形成される（図３（Ａ）参照）。
【００４３】
この後、第１製造方法のおける図２（Ｂ）に示す手順と同様、光硬化性樹脂と熱硬化性樹脂組成物よりなる液状組成物が、各ランド６を被覆するとともにスルーホール５の内部中央部にまで侵入するように、両面基板２の上面にカーテンコート法により塗布・乾燥される（図３（Ｂ）参照）。このとき、スルーホール５内に侵入された液状組成物の下面は、その表面張力、粘性等により上方に突出した円弧状となる。
【００４４】
更に、図３（Ｃ）に示すように、ネガフィルム１０により基板２の上面における各ランド６を覆った後、露光装置により両面基板２の上下両面から光が照射される。これにより、ネガフィルム１０の黒色部分にて覆われていない基板２上に存在する液状組成物は光硬化され、また、ネガフィルム１０の黒色部分により覆われた基板２上に存在する液状組成物は光硬化されることなく未硬化状態を保持することとなる。この結果、両面基板２の上面における各ランド６よりも外方位置に存在する液状組成物は光硬化されてソルダーレジスト被膜８となる。また、スルーホール５内に侵入された液状組成物の下面側においても、両面基板２の下方側から照射された光により光硬化され、これにより所定厚さ（光の照射時間等により調整される）を有するソルダーレジスト被膜９が形成される。
【００４５】
前記のように両面基板２上面において、液状組成物の所定部分のみを光硬化してソルダーレジスト被膜８、９を形成した後、ネガフィルム１０により覆われて光硬化されなかった液状組成物が実施例１と同様の方法にて除去される。
【００４６】
続いて、液状組成物が、スルーホール５を除いてランド６の一部を被覆するように、両面基板２の下面に塗布・乾燥される。この状態が図３（Ｄ）に示されている。そして、基板２の下面において液状組成物が塗布された各ランド６を覆った後、露光装置により両面基板２の上下両面から光が照射される。これにより、両面基板２の下面において、各ランド６を除いてネガフィルム１０の黒色部分にて覆われていない基板２上に存在する液状組成物は光硬化されてソルダーレジスト被膜８となり、また、ネガフィルム１０の黒色部分により覆われたランド６上に存在する液状組成物は光硬化されることなく未硬化状態を保持することとなる。このとき、スルーホール５内で前記のように形成されたソルダーレジスト被膜９には、スルーホール５を介して上下両側から光が照射されることから、ソルダーレジスト被膜９は十分に光硬化されてスルーホール５の内壁に強固に密着された状態となる。
【００４７】
かかる後、ネガフィルム１０の黒色部分により覆われて未硬化状態を保持している各ランド６上の液状組成物を公知の方法で除去することにより、図１に示すようなプリント配線板１が得られるものである。尚、このように形成された各ソルダーレジスト被膜８、９は、熱硬化されることにより、耐熱性や耐薬品性ともさらに向上するのである。
【００４８】
次に、第３製造方法について図４に基づき説明する。図４は第３製造方法の手順を模式的に示す説明図である。尚、図４に示す第３製造方法は、前記第１製造方法、前記第２製造方法と基本的に同様の手順にてプリント配線板１を製造するものである。
【００４９】
図４において、前記第１製造方法における図２（Ａ）に示す手順、前記第２製造方法における図３（Ａ）に示す手順と同様、両面に銅箔が積層一体化された両面基板２に貫通孔３を形成し、この後、スルーホールメッキを介して貫通孔３の内壁３Ａ及び上下開口３Ｂの周縁に導体層４をメッキ形成することにより、スルーホール５を形成する。さらに、一般的なサブトラクティブ法によって、両面の銅箔およびメッキ層をエッチングすることによって所定の回路パターンを形成する。このとき、スルーホール５内には、前記したように、スルーホール５の上下開口５Ａよりも広い空洞７が設けられることとなり、また、スルーホール５の周縁にはランド６が形成される（図４（Ａ）参照）。
【００５０】
この後、第１製造方法における図２（Ｂ）に示す手順、前記第２製造方法における図３（Ｂ）に示す手順と同様、光硬化性樹脂と熱硬化性樹脂組成物よりなる液状組成物が、各ランド６を被覆するとともにスルーホール５の内部中央部にまで侵入するように、両面基板２の上面に塗布される（図４（Ｂ）参照）。このとき、スルーホール５内に侵入された液状組成物の下面は、その表面張力、粘性等により上方に突出した円弧状となる。
【００５１】
更に、図４（Ｃ）に示すように、ネガフィルム１０により基板２の上面全体を覆った後、露光装置により両面基板２の上下両面から光が照射される。これにより、スルーホール５の下方から照射される光によりスルーホール５内における液状組成物の下方側が光硬化されて所定厚さ（光の照射時間等により調整される）を有するソルダーレジスト被膜９が形成される。一方、黒色のネガフィルム１０にて覆われた基板２の上面全体に存在する液状組成物は光硬化されることなく液状を保持する。
【００５２】
かかる後、両面基板２上で未硬化の状態にある液状組成物を常法によって除去することにより、図４（Ｄ）に示すように、スルーホール５内のほぼ中央位置でソルダーレジスト被膜９が形成される。
【００５３】
続いて、図４（Ｅ）に示すように、液状組成物が、スルーホール５を除いて各ランド６の一部を被覆するように、両面基板２の上下両面面に塗布されるとともに、各ランド６を覆うようにネガフィルム１０が配置される。この後、露光装置を介して、両面基板２の両側から光が照射される。これにより、両面基板２の上面において、各ランド６を除いてネガフィルム１０の黒色部分にて覆われていない基板２上に存在する液状組成物は光硬化されてソルダーレジスト被膜８となり、また、ネガフィルム１０の黒色部分により覆われた各ランド６上に存在する液状組成物は光硬化されることなく未硬化状態を保持することとなる。同様にして、両面基板２の下面において、各ランド６を除いてネガフィルム１０の黒色部分にて覆われていない基板２上に存在する液状組成物は光硬化されてソルダーレジスト被膜８となり、また、ネガフィルム１０の黒色部分により覆われた各ランド６上に存在する液状組成物は光硬化されることなく未硬化状態を保持することとなる。更に、スルーホール５内で前記のように形成されたソルダーレジスト被膜９には、スルーホール５を介して上下両側から光が照射されることから、ソルダーレジスト被膜９は完全に光硬化されてスルーホール５の内壁に強固に密着された状態となる。
【００５４】
かかる後、ネガフィルム１０の黒色部分により覆われて未硬化状態を保持している各ランド６上の液状組成物を除去することにより、図１に示すようなプリント配線板１が得られるものである。尚、このように形成された各ソルダーレジスト被膜８、９は熱硬化させる。
【００５５】
次に、第４製造方法について図５に基づき説明する。図５は第４製造方法の手順を模式的に示す説明図である。
尚、図５に示す第４製造方法は、前記第３製造方法と基本的に同様の手順にてプリント配線板１を製造するものであり、スルーホール５内でソルダーレジスト被膜９を形成する際に露光装置により両面基板２の片側から光が照射される点において、前記第３製造方法とは異なるものである。
【００５６】
図５において、前記第１製造方法における図２（Ａ）に示す手順、前記第２製造方法における図３（Ａ）に示す手順、前記第３製造方法における図４（Ａ）に示す手順と同様、両面に銅箔が積層一体化された両面基板２に貫通孔３を形成し、この後、スルーホールメッキを介して貫通孔３の内壁３Ａ及び上下開口３Ｂの周縁に導体層４をメッキ形成することにより、スルーホール５を形成する。このとき、スルーホール５内には、前記したように、スルーホール５の上下開口５Ａよりも広い空洞７が設けられることとなり、また、スルーホール５の周縁にはランド６が形成される（図５（Ａ）参照）。
【００５７】
この後、第１製造方法のおける図２（Ｂ）に示す手順、前記第２製造方法における図３（Ｂ）に示す手順、図４（Ｂ）に示す手順と同様、光硬化性樹脂と熱硬化性樹脂組成物よりなる液状組成物が、各ランド６を被覆するとともにスルーホール５の内部中央部にまで侵入するように、両面基板２の上面に塗布される（図５（Ｂ）参照）。このとき、スルーホール５内に侵入された液状組成物の下面は、その表面張力、粘性等により上方に突出した円弧状となる。
【００５８】
更に、図５（Ｃ）に示すように、露光装置を介して両面基板２の下面側から光が照射される。これにより、スルーホール５の下方から照射される光によりスルーホール５内における液状組成物の下方側が光硬化されて所定厚さ（光の照射時間等により調整される）を有するソルダーレジスト被膜９が形成される。かかる後、両面基板２の上面において未硬化の状態にある液状組成物を除去することにより、図５（Ｄ）に示すように、スルーホール５内のほぼ中央位置でソルダーレジスト被膜９が形成される。
【００５９】
続いて、図５（Ｅ）に示すように、液状組成物が、スルーホール５を除いて各ランド６の一部を被覆するように、両面基板２の上下両面面に塗布されるとともに、基板２両面における各ランド６を覆うようにネガフィルム１０が配置される。この後、露光装置を介して、両面基板２の両側から光が照射される。これにより、両面基板２の上面において、各ランド６を除いてネガフィルム１０の黒色部分にて覆われていない基板２上に存在する液状組成物は光硬化されてソルダーレジスト被膜８となり、また、ネガフィルム１０の黒色部分により覆われた各ランド６上に存在する液状組成物は光硬化されることなく未硬化状態を保持することとなる。同様にして、両面基板２の下面において、各ランド６を除いてネガフィルム１０の黒色部分にて覆われていない基板２上に存在する液状組成物は光硬化されてソルダーレジスト被膜８となり、また、ネガフィルム１０の黒色部分により覆われた各ランド６上に存在する液状組成物は光硬化されることなく未硬化状態を保持することとなる。更に、スルーホール５内で前記のように形成されたソルダーレジスト被膜９には、スルーホール５を介して上下両側から光が照射されることから、ソルダーレジスト被膜９は完全に光硬化されてスルーホール５の内壁に強固に密着された状態となる。
【００６０】
かかる後、ネガフィルム１０の黒色部分により覆われて未硬化状態を保持している各ランド６上の液状組成物を除去することにより、図１に示すようなプリント配線板１が得られるものである。尚、このように形成された各ソルダーレジスト被膜８、９は、必要に応じて熱硬化させるとよい。
【００６１】
以上説明した各第１乃至第４製造方法よれば、両面基板２における貫通孔３の内壁３Ａ及び上下開口３Ｂの周縁にスルーホールメッキを介して導体層４をメッキ形成してなるスルーホール５内の中央部に位置する空洞７に、スルーホール５の内壁に密着してソルダーレジスト被膜９を形成することができ、これによりソルダーレジスト被膜９がスルーホール５から脱落することなくスルーホール５を封止することができるとともに、チェッカーにおけるチェッカーピンをスルーホール５上に立てつつ効率的に回路パターンの断線チェックを行なうことができる。
【００６２】
続いて、前記したプリント配線板１の各種変形例について図７乃至図１１に基づき説明する。ここに、図７は第１変形例に係るプリント配線板１においてチェッカーピンにより行なわれる回路パターンの電気的チェックの状態、及び、プリント配線板１への電子部品の搭載状態を模式的に示す断面図、図８は第２変形例に係るプリント配線板１においてチェッカーピンにより行なわれる回路パターンの電気的チェックの状態、及び、プリント配線板１への電子部品の搭載状態を模式的に示す断面図、図９は第３変形例にプリント配線板１においてチェッカーピンにより行なわれる回路パターンの電気的チェックの状態、及び、プリント配線板１への電子部品の搭載状態を模式的に示す断面図、図１０は第４変形例に係るプリント配線板１においてチェッカーピンにより行なわれる回路パターンの電気的チェックの状態、及び、プリント配線板１への電子部品の搭載状態を模式的に示す断面図、図１１は第５変形例に係るプリント配線板１においてチェッカーピンにより行なわれる回路パターンの電気的チェックの状態、及び、プリント配線板１への電子部品の搭載状態を模式的に示す断面図である。尚、以下の説明においては、前記実施例に係るプリント配線板１におけると同一の要素については同一の番号を付して説明することとする。また、第１乃至第５変形例に係る各プリント配線板１は、前記した各第１乃至第４製造方法により製造されるものであり、従って、各変形例に係るプリント配線板１の製造方法については前記各製造方法を参照することとしてここではその説明を省略する。
【００６３】
先ず、図７に基づいて第１変形例に係るプリント配線板１について説明する。図７に示す第１変形例に係るプリント配線板１は、スルーホール５内部の空洞７に形成されるソルダーレジスト被膜９の形状が平面状、又は、下方に突形状である点で、前記図１、図６に示すプリント配線板１とは異なり、その他の構成については同一の構成を有する。以下、相違する点について説明する。
【００６４】
図７において、スルーホール５内部の空洞７には平板状のソルダーレジスト被膜９Ａ（図７中点線で示す）が形成されている。また、このソルダーレジスト被膜は、下方に円弧状に突出した突形状を有する被膜９Ｂ（図７中実線で示す）に形成されてもよい。尚、このようにソルダーレジスト被膜を平板状に形成するか、又は、下方に突出した突形状に形成するかは、ソルダーレジスト被膜を形成するための光硬化性樹脂と熱硬化性樹脂とからなる液状組成物における希釈剤や樹脂固形分、無機フィラー等の含有率を適宜変えることにより、液状組成物の表面張力、粘性等を変えれば選択的に形成することが可能である。
【００６５】
そして、前記のようなプリント配線板１の各回路パターンの電気的チェックを行なう場合には、図６にて説明したと同様に、先ず、真空ポンプ等の吸引手段を備えた吸引装置１２上にプリント配線板１を載置するとともに、吸引手段を介してプリント配線板１を矢印Ａ方向（吸引方向）に吸引する。かかる吸引時、スルーホール５は、上下開口５Ａよりも広い空洞７にてソルダーレジスト膜９Ａ又は９Ｂを介して封止されており、従って、プリント配線板１は吸引固定装置１２上に密着して吸引固定される。
【００６６】
このとき、ソルダーレジスト被膜９Ａ又は９Ｂは、スルーホール５の上下開口５Ａよりも広く形成された空洞７に形成されており、吸引固定装置１２による吸引時においてソルダーレジスト被膜９Ａ又は９Ｂは空洞７よりも狭い下開口５Ａから脱落することは全くない。
【００６７】
そして、チェッカーによりプリント配線板１における各回路パターンの電気的チェックを行なう場合、チェッカーピン１３が図７に示すようにスルーホール５の上開口５Ａに立てられる。このとき、チェッカーピン１３の形状は、その先端部がソルダーレジスト被膜９Ａ、９Ｂに当接することのないような形状に形成されている。このように、プリント配線板１では、チェッカーのチェッカーピン１３を直接スルーホール５の上開口５Ａに立てることにより回路パターンの電気的チェックを効率的に行なうことが可能となるものである。
【００６８】
また、プリント配線板１に形成された部品ランド１１にチップ抵抗やコンデンサ、ＩＣチップ等の電子部品１４を搭載する場合には、前記のように吸引固定装置１２を介してプリント配線板１を吸引固定した状態を保持したまま、各部品ランド１１上に半田ペーストが塗布形成された後、各部品ランド１１とＩＣチップ等の電子部品１４の半田バンプ１５とを位置決めするとともにリフロー処理を行なうことにより、ＩＣチップ等の電子部品１４等の電子部品を部品ランド１１上に搭載するものである。このとき、ＩＣチップ等の電子部品１４が搭載される各部品ランド１１は、吸引固定装置１２による吸引方向（矢印Ａ方向）とは反対方向側のプリント配線板１上に形成されており、従って、吸引固定装置１２を介してプリント配線板１を吸引固定しつつ各部品ランド１１上にＩＣチップ等の電子部品１４を搭載するについて何等支障は生じることはない。
【００６９】
次に、図８に基づいて第２変形例に係るプリント配線板１について説明する。図８に示す第２変形例に係るプリント配線板１は、スルーホール５の形状が、スルーホール５の上開口５Ａを下開口５Ａよりも大きく形成することにより、空洞７の存在しない傾斜孔（後述する）に形成されている点で前記図１、図６に示すプリント配線板１とは異なり、その他の構成については同一の構成を有する。以下、相違する点について説明する。
【００７０】
図８に示すスルーホール５において、基板２の両面に臨むスルーホール５の上下開口の内、上開口５Ａは下開口５Ａよりも大きく形成され、上開口５Ａから下開口５Ａにいくに従って徐々に傾斜する傾斜孔１６が形成されている。かかる傾斜孔１６は、レーザ装置を使用してレーザ光線を基板２の上面側から照射することにより形成されるものであり、傾斜孔１６の開口面積は基板の上側から下側にいくに従って徐々に小さくなっている。そして、係る傾斜孔１６のほぼ中央位置には、前記図１、図６におけると同様、上方に円弧状に突出した突形状を有するソルダーレジスト被膜９が形成されている。
【００７１】
そして、前記のようなプリント配線板１の各回路パターンの電気的チェックを行なう場合には、図６にて説明したと同様に、先ず、真空ポンプ等の吸引手段を備えた吸引装置１２上にプリント配線板１を載置するとともに、吸引手段を介してプリント配線板１を矢印Ａ方向（吸引方向）に吸引する。かかる吸引時、スルーホール５は、傾斜孔１６にてソルダーレジスト膜９を介して封止されており、従って、プリント配線板１は吸引固定装置１２上に密着して吸引固定される。
【００７２】
このとき、ソルダーレジスト被膜９は、傾斜孔１６のほぼ中央位置に形成されるとともに、矢印Ａ方向とは反対方向に向かって円弧状に突出された突形状に形成されていることから、吸引固定装置１２による吸引時においてソルダーレジスト被膜９はその突形状が平面状になる方向に変形されることとなり、上開口５Ａよりも小さい下開口５Ａから脱落することは全くない。
【００７３】
そして、チェッカーによりプリント配線板１における各回路パターンの電気的チェックを行なう場合、チェッカーピン１３が図８に示すようにスルーホール５の上開口５Ａに立てられる。このとき、チェッカーピン１３の形状は、その先端部がソルダーレジスト被膜９に当接することのないような形状に形成されている。このように、プリント配線板１では、チェッカーのチェッカーピン１３を直接スルーホール５の上開口５Ａに立てることにより回路パターンの電気的チェックを効率的に行なうことが可能となるものである。
【００７４】
また、プリント配線板１に形成された部品ランド１１にＩＣチップ等の電子部品１４等の電子部品を搭載する場合には、前記のように吸引固定装置１２を介してプリント配線板１を吸引固定した状態を保持したまま、各部品ランド１１上に半田ペーストが塗布形成された後、各部品ランド１１とＩＣチップ等の電子部品１４の半田バンプ１５とを位置決めするとともにリフロー処理を行なうことにより、ＩＣチップ等の電子部品１４等の電子部品を部品ランド１１上に搭載するものである。このとき、ＩＣチップ等の電子部品１４が搭載される各部品ランド１１はソルダーレジスト被膜９が円弧状に突出する方向と同一方向側に配置され、換言すれば、各部品ランド１１は、吸引固定装置１２による吸引方向（矢印Ａ方向）とは反対方向側のプリント配線板１上に形成されており、従って、吸引固定装置１２を介してプリント配線板１を吸引固定しつつ各部品ランド１１上にＩＣチップ等の電子部品１４を搭載するについて何等支障は生じることはない。
【００７５】
次に、図９に基づいて第３変形例に係るプリント配線板１について説明する。図９に示す第３変形例に係るプリント配線板１は、スルーホール５の形状が、スルーホール５の上開口５Ａを下開口５Ａよりも大きく形成することにより、空洞７の存在しない傾斜孔（後述する）に形成されている点、及び、傾斜孔に形成されるソルダーレジスト被膜９の形状が平面状、又は、下方に突形状である点で前記図１、図６に示すプリント配線板１とは異なり、その他の構成については同一の構成を有する。以下、相違する点について説明する。
【００７６】
図９に示すスルーホール５において、基板２の両面に臨むスルーホール５の上下開口の内、上開口５Ａは下開口５Ａよりも大きく形成され、上開口５Ａから下開口５Ａにいくに従って徐々に傾斜する傾斜孔１６が形成されている。かかる傾斜孔１６は、レーザ装置を使用してレーザ光線を基板２の上面側から照射することにより形成されるものであり、傾斜孔１６の開口面積は基板の上側から下側にいくに従って徐々に小さくなっている。そして、かかる傾斜孔１６のほぼ中央位置には、前記図７におけると同様、平板状のソルダーレジスト被膜９Ａ（図９中点線で示す）が形成されている。また、このソルダーレジスト被膜は、下方に円弧状に突出した突形状のソルダーレジスト被膜９Ｂ（図９中実線で示す）であってもよい。尚、このようにソルダーレジスト被膜を平板状に形成するか、又は、下方に突出した突形状に形成するかは、ソルダーレジスト被膜を形成するための光硬化性樹脂と熱硬化性樹脂とからなる液状組成物における希釈剤や樹脂固形分、無機フィラー等の含有率を適宜変えることにより、液状組成物の表面張力、粘性等を変えれば選択的に形成することが可能である。
【００７７】
そして、前記のようなプリント配線板１の各回路パターンの電気的チェックを行なう場合には、図６にて説明したと同様に、先ず、真空ポンプ等の吸引手段を備えた吸引装置１２上にプリント配線板１を載置するとともに、吸引手段を介してプリント配線板１を矢印Ａ方向（吸引方向）に吸引する。かかる吸引時、スルーホール５は、傾斜孔１６にてソルダーレジスト膜９Ａ又は９Ｂを介して封止されており、従って、プリント配線板１は吸引固定装置１２上に密着して吸引固定される。
【００７８】
このとき、ソルダーレジスト被膜９Ａ、９Ｂは、傾斜孔１６のほぼ中央位置に形成されており、上開口５Ａよりも小さい下開口５Ａから脱落することは全くない。
【００７９】
そして、チェッカーによりプリント配線板１における各回路パターンの電気的チェックを行なう場合、チェッカーピン１３が図９に示すようにスルーホール５の上開口５Ａに立てられる。このとき、チェッカーピン１３の形状は、その先端部がソルダーレジスト被膜９Ａ、９Ｂに当接することのないような形状に形成されている。このように、プリント配線板１では、チェッカーのチェッカーピン１３を直接スルーホール５の上開口５Ａに立てることにより回路パターンの電気的チェックを効率的に行なうことが可能となるものである。
【００８０】
また、プリント配線板１に形成された部品ランド１１にＩＣチップ等の電子部品１４等の電子部品を搭載する場合には、前記のように吸引固定装置１２を介してプリント配線板１を吸引固定した状態を保持したまま、各部品ランド１１上に半田ペーストが塗布形成された後、各部品ランド１１とＩＣチップ等の電子部品１４の半田バンプ１５とを位置決めするとともにリフロー処理を行なうことにより、ＩＣチップ等の電子部品１４等の電子部品を部品ランド１１上に搭載するものである。このとき、ＩＣチップ等の電子部品１４が搭載される各部品ランド１１は、吸引固定装置１２による吸引方向（矢印Ａ方向）とは反対方向側のプリント配線板１上に形成されており、従って、吸引固定装置１２を介してプリント配線板１を吸引固定しつつ各部品ランド１１上にＩＣチップ等の電子部品１４を搭載するについて何等支障は生じることはない。
【００８１】
次に、図１０に基づいて第４変形例に係るプリント配線板１について説明する。図１０に示す第４変形例に係るプリント配線板１は、スルーホール５の上開口５Ａと下開口５Ａとを同一の大きさに形成してスルーホール５の形状を空洞７が存在しないストレート孔１７に形成した点で、前記図１、図６に示すプリント配線板１とは異なり、その他の構成については同一の構成を有する。以下、相違する点について説明する。
【００８２】
図１０において、スルーホール５は、その上開口５Ａと下開口５Ａの大きさを共に同一の大きさに形成することによりストレート孔１７に形成されており、かかるストレート孔１７のほぼ中央位置には、前記図１、図６におけると同様、上方に円弧状に突出した突形状を有するソルダーレジスト被膜９が形成されている。
【００８３】
尚、スルーホール５をストレート孔１７に形成するには、スルーホール５の内部及び周縁に導体層４を形成するについてメッキ液をスルーホール５内部に効率良く循環させるべく被メッキ物であるプリント配線板を揺動させたり、微細な気泡によるエアレーションを行なったりする方法が知られている。また、添加剤としてカパラシドＧＳ、カパラシドＨＬ（シェーリング社製）あるいはＣＰ−１２５（メルテックス社製）等をメッキ液中に含有する方法を兼ね合わせてもよい。
【００８４】
そして、前記のようなプリント配線板１の各回路パターンの電気的チェックを行なう場合には、図６にて説明したと同様に、先ず、真空ポンプ等の吸引手段を備えた吸引装置１２上にプリント配線板１を載置するとともに、吸引手段を介してプリント配線板１を矢印Ａ方向（吸引方向）に吸引する。かかる吸引時、スルーホール５は、ソルダーレジスト膜９を介して封止されており、従って、プリント配線板１は吸引固定装置１２上に密着して吸引固定される。
【００８５】
このとき、ソルダーレジスト被膜９は、ストレート孔１７のほぼ中央位置に形成されるとともに、矢印Ａ方向とは反対方向に向かって円弧状に突出された突形状に形成されていることから、吸引固定装置１２による吸引時においてソルダーレジスト被膜９はその突形状が平面状になる方向に変形されることとなり、下開口５Ａから脱落する虞は殆どない。
【００８６】
そして、チェッカーによりプリント配線板１における各回路パターンの電気的チェックを行なう場合、チェッカーピン１３が図１０に示すようにスルーホール５の上開口５Ａに立てられる。このとき、チェッカーピン１３の形状は、その先端部がソルダーレジスト被膜９に当接することのないような形状に形成されている。このように、プリント配線板１では、チェッカーのチェッカーピン１３を直接スルーホール５の上開口５Ａに立てることにより回路パターンの電気的チェックを効率的に行なうことが可能となるものである。
【００８７】
また、プリント配線板１に形成された部品ランド１１にＩＣチップ等の電子部品１４等の電子部品を搭載する場合には、前記のように吸引固定装置１２を介してプリント配線板１を吸引固定した状態を保持したまま、各部品ランド１１上に半田ペーストが塗布形成された後、各部品ランド１１とＩＣチップ等の電子部品１４の半田バンプ１５とを位置決めするとともにリフロー処理を行なうことにより、ＩＣチップ等の電子部品１４等の電子部品を部品ランド１１上に搭載するものである。このとき、ＩＣチップ等の電子部品１４が搭載される各部品ランド１１はソルダーレジスト被膜９が円弧状に突出する方向と同一方向側に配置され、換言すれば、各部品ランド１１は、吸引固定装置１２による吸引方向（矢印Ａ方向）とは反対方向側のプリント配線板１上に形成されており、従って、吸引固定装置１２を介してプリント配線板１を吸引固定しつつ各部品ランド１１上にＩＣチップ等の電子部品１４を搭載するについて何等支障は生じることはない。
【００８８】
次に、図１１に基づいて第５変形例に係るプリント配線板１について説明する。図１１に示す第５変形例に係るプリント配線板１は、スルーホール５の上開口５Ａと下開口５Ａとを同一の大きさに形成してスルーホール５の形状を空洞７が存在しないストレート孔１７に形成した点、及び、ストレート孔１７に形成されるソルダーレジスト被膜９の形状が平面状、又は、下方に突形状である点で、前記図１、図６に示すプリント配線板１とは異なり、その他の構成については同一の構成を有する。以下、相違する点について説明する。
【００８９】
図１１において、スルーホール５は、その上開口５Ａと下開口５Ａの大きさを共に同一の大きさに形成することによりストレート孔１７に形成されており、かかるストレート孔１７のほぼ中央位置には、前記図７、図９におけると同様、平板状のソルダーレジスト被膜９Ａ（図１１中点線で示す）が形成されている。また、このソルダーレジスト被膜は、下方に円弧状に突出した突形状のソルダーレジスト被膜９Ｂ（図１１中実線で示す）であってもよい。
【００９０】
尚、スルーホール５をストレート孔１７に形成するには、スルーホール５の内部及び周縁に導体層４を形成するについてメッキ液をスルーホール５内部に効率良く循環させるべく被メッキ物であるプリント配線板を揺動させたり、微細な気泡によるエアレーションを行なったりする方法が知られている。また、添加剤としてカパラシドＧＳ、カパラシドＨＬ（シェーリング社製）あるいはＣＰ−１２５（メルテックス社製）等をメッキ液中に含有する方法を兼ね合わせてもよい。また、このようにソルダーレジスト被膜を平板状に形成するか、又は、下方に突出した突形状に形成するかは、ソルダーレジスト被膜を形成するための光硬化性樹脂と熱硬化性樹脂とからなる液状組成物におけるそれぞれの比率を適宜変えることにより、液状組成物の表面張力、粘性等を変えれば選択的に形成することが可能である。
【００９１】
そして、前記のようなプリント配線板１の各回路パターンの電気的チェックを行なう場合には、図６にて説明したと同様に、先ず、真空ポンプ等の吸引手段を備えた吸引装置１２上にプリント配線板１を載置するとともに、吸引手段を介してプリント配線板１を矢印Ａ方向（吸引方向）に吸引する。かかる吸引時、スルーホール５は、ソルダーレジスト膜９を介して封止されており、従って、プリント配線板１は吸引固定装置１２上に密着して吸引固定される。
【００９２】
このとき、ソルダーレジスト被膜９は、ストレート孔１７のほぼ中央位置に形成されており、下開口５Ａから脱落する虞は殆どない。
【００９３】
そして、チェッカーによりプリント配線板１における各回路パターンの電気的チェックを行なう場合、チェッカーピン１３が図１１に示すようにスルーホール５の上開口５Ａに立てられる。このとき、チェッカーピン１３の形状は、その先端部がソルダーレジスト被膜９Ａ、９Ｂに当接することのないような形状に形成されている。このように、プリント配線板１では、チェッカーのチェッカーピン１３を直接スルーホール５の上開口５Ａに立てることにより回路パターンの電気的チェックを効率的に行なうことが可能となるものである。
【００９４】
また、プリント配線板１に形成された部品ランド１１にＩＣチップ等の電子部品１４等の電子部品を搭載する場合には、前記のように吸引固定装置１２を介してプリント配線板１を吸引固定した状態を保持したまま、各部品ランド１１上に半田ペーストが塗布形成された後、各部品ランド１１とＩＣチップ等の電子部品１４の半田バンプ１５とを位置決めするとともにリフロー処理を行なうことにより、ＩＣチップ等の電子部品１４等の電子部品を部品ランド１１上に搭載するものである。このとき、ＩＣチップ等の電子部品１４が搭載される各部品ランド１１は、吸引固定装置１２による吸引方向（矢印Ａ方向）とは反対方向側のプリント配線板１上に形成されており、従って、吸引固定装置１２を介してプリント配線板１を吸引固定しつつ各部品ランド１１上にＩＣチップ等の電子部品１４を搭載するについて何等支障は生じることはない。
【００９５】
尚、（１）液状組成物は、光硬化性樹脂のみによって構成されていてもかまわない。（２）回路パターンの形成法は、サブトラクティブ法に限らずアディティブ法を用いることも出来る。（３）基板２は、多層プリント配線板を構成するものであっても良い。（４）スルーホールの内壁形状を基板の両面に臨む上下開口部よりも広い空洞を有するものとする他の手段として貫通孔の形成時において、上記形成とすることも可能である。等、本発明は前記実施例に限定されるものではなく、本発明の要旨を逸脱しない範囲内で種々の改良、変形が可能であることは勿論である。
【００９６】
【発明の効果】
以上説明した通り本発明は、基板に形成された導体層を有するスルーホールの内壁に密着してスルーホールを封止する光硬化性樹脂被膜を形成することにより、プリント配線板における回路パターンの電気的チェックを行なう際に、回路パターン中に電気的チェック用のランドを設けることなく、プリント配線板を吸引固定しつつスルーホール内にチェッカーピンの先端部を挿入して電気的チェックを確実に行なうことができるとともに、光硬化性樹脂被膜がスルーホール内で脱落することを確実に防止することができるプリント配線板及びそのプリント配線板の製造方法を提供することができ、その産業上奏する効果は大である。
【図面の簡単な説明】
【図１】プリント配線板１を模式的に示す断面図である。
【図２】第１製造方法の手順を模式的に示す説明図である。
【図３】第２製造方法の手順を模式的に示す説明図である。
【図４】第３製造方法の手順を模式的に示す説明図である。
【図５】第４製造方法の手順を模式的に示す説明図である。
【図６】チェッカーピンにより行なわれる回路パターンの電気的チェックの状態、及び、プリント配線板１への電子部品の搭載状態を模式的に示す断面図である。
【図７】第１変形例に係るプリント配線板１においてチェッカーピンにより行なわれる回路パターンの電気的チェックの状態、及び、プリント配線板１への電子部品の搭載状態を模式的に示す断面図である。
【図８】第２変形例に係るプリント配線板１においてチェッカーピンにより行なわれる回路パターンの電気的チェックの状態、及び、プリント配線板１への電子部品の搭載状態を模式的に示す断面図である。
【図９】第３変形例にプリント配線板１においてチェッカーピンにより行なわれる回路パターンの電気的チェックの状態、及び、プリント配線板１への電子部品の搭載状態を模式的に示す断面図である。
【図１０】第４変形例に係るプリント配線板１においてチェッカーピンにより行なわれる回路パターンの電気的チェックの状態、及び、プリント配線板１への電子部品の搭載状態を模式的に示す断面図である。
【図１１】第５変形例に係るプリント配線板１においてチェッカーピンにより行なわれる回路パターンの電気的チェックの状態、及び、プリント配線板１への電子部品の搭載状態を模式的に示す断面図である。
【図１２】従来の両面プリント配線板のスルーホールを封止する前における状態を模式的に示す両面プリント配線板の断面図である。
【図１３】従来の両面プリント配線板のスルーホールを封止した後における状態を模式的に示す両面プリント配線板の断面図である。
【符号の説明】
１      プリント配線板
２      両面基板
３      貫通孔
４      導体層
５      スルーホール
５Ａ    上下開口
６      ランド
７      空洞
８、９  ソルダーレジスト被膜
１０    ネガフィルム
【図１】
0003616657.tif 000002
【図２】
0003616657.tif 000003
【図３】
0003616657.tif 000004
【図４】
0003616657.tif 000005
【図５】
0003616657.tif 000006
【図６】
0003616657.tif 000007
【図７】
0003616657.tif 000008
【図８】
0003616657.tif 000009
【図９】
0003616657.tif 000010
【図１０】
0003616657.tif 000011
【図１１】
0003616657.tif 000012
【図１２】
0003616657.tif 000013
【図１３】
0003616657.tif 000014